(57)【要約】【課題】電源スイッチ用の電源オン信号をミュート用としても使用し、コストダウンや製造工程のスリム化を図りつつポップ音を抑えた音声出力装置を提供する。【解決手段】サブマイコン２０が電源制御信号の出力を開始する。これにより、電源制御信号の立ち上がりであるＰ−ＯＮ信号が遅延回路２２とミュート回路２１のＣＲ時定数回路３１に入力される。遅延回路２２は、サブマイコン２０から出力されるＰ−ＯＮ信号を遅延時間ｔ0遅延させ、Ｐ−ＯＮ遅延信号を生成する。ミュート回路２１は、Ｐ−ＯＮ信号が遅延回路２２で遅延されている間に、サブマイコン２０から出力されたＰ−ＯＮ信号を用いて、TV３００に出力する電気信号に対するミュートを開始する。ミュートが開始した後、Ｐ−ＯＮ遅延信号が遅延回路２２から電源回路７に入力し、電源回路７が装置本体各部に対して電源の供給を開始する。【選択図】  図２
2011015193.tif 000002
【特許請求の範囲】
【請求項１】
メディアから読み取られた音声信号を増幅してから出力するオーディオアンプと、
前記オーディオアンプから出力された前記音声信号を装置本体外部に出力する音声信号出力回路と、を備える音声出力装置において、
電源オン信号と電源オフ信号を含む電源制御信号を生成する制御回路と、
前記電源制御信号を遅延させて電源オン遅延信号と電源オフ遅延信号を含む電源制御遅延信号を生成する遅延回路と、
商用電源から電源電圧を生成し、前記電源オン遅延信号を受けて電源オンとなって前記オーディオアンプを含む装置本体各部へ前記電源電圧を供給し、前記電源オフ遅延信号を受けて電源オフとなって前記装置本体各部に対する前記電源電圧の供給を停止する電源回路と、
前記電源オン信号の発生時に所定期間だけ前記オーディオアンプの出力を減衰させるミュート回路と、
を備える音声出力装置。
【請求項２】
前記ミュート回路は、
前記オーディオアンプの出力端子と接地端子間に接続されるスイッチ素子と、
前記電源オン信号の発生時に前記スイッチ素子をオンすることにより前記オーディオアンプの出力信号を減衰させる、請求項１に記載の音声出力装置。
【請求項３】
前記ミュート回路は、前記電源オフ信号の発生時に所定期間だけ前記オーディオアンプの出力を減衰させる、請求項１に記載の音声出力装置。
【請求項４】
前記ミュート回路は、
前記オーディオアンプの出力端子と接地端子間に接続されるスイッチ素子と、
前記電源オフ信号の発生時に前記スイッチ素子をオンすることにより前記オーディオアンプの出力信号を減衰させる、請求項３に記載の音声出力装置。
【請求項５】
前記所定期間は、前記遅延回路の遅延時間以上である、請求項１〜４のいずれかに記載の音声出力装置。
【請求項６】
前記電源制御信号は、その立ち上がりが前記電源オン信号であり、立ち下がりが前記電源オフ信号である、請求項１〜５のいずれかに記載の音声出力装置。
【発明の詳細な説明】
【技術分野】
【０００１】
本発明は、音声信号を増幅して出力する音声出力装置に関し、特にその音声信号に対してミュートを行う音声出力装置に関するものである。
【背景技術】
【０００２】
従来から、音声信号を増幅して出力するオーディオアンプと、オーディオアンプの出力をミュートするミュート回路と、オーディオアンプからミュート回路を介して入力した音声信号をスピーカ付きの外部装置又はスピーカに直接出力する音声信号出力回路と、を備える音声出力装置が実用化され、一般に普及している。
【０００３】
オーディオアンプは、オーディオ帯域の低周波増幅回路として用いられている。オーディオアンプは、その電源オン時において各部の電圧が立ち上がるまでの昇圧過渡期に、スピーカからポップ音と呼ばれる異音が発生し易いことが知られている。
【０００４】
そこで、従来の音声出力装置においても、オーディオアンプが出力する電気信号に対してミュートを行うよう指示するミュート信号を電源オン時にミュート回路へ出力する制御ＩＣが設けられている。
なお、特許文献１においても、ミュート信号を出力するマイコンが示されている。
【先行技術文献】
【特許文献】
【０００５】
【特許文献１】特開平９−１０２７５１公報
【発明の概要】
【発明が解決しようとする課題】
【０００６】
しかしながら、従来の音声出力装置においてミュートを行うためには、上記ミュート信号を生成する専用の生成回路とそのミュート信号を出力する専用の出力ピンとを制御ＩＣに組み込まなければならなかった。これは、専用の材料を用意したり専用の製造工程を組まなければならないことを意味し、製造コスト高や製造工程の複雑化の一因となっていた。
【０００７】
本発明はこのような従来の課題を解決しようとするものであり、電源スイッチ用の電源オン信号をミュート用としても使用し、コストダウンや製造工程のスリム化を図りつつポップ音を抑えた音声出力装置を提供することを目的とする。
【課題を解決するための手段】
【０００８】
本発明の音声出力装置は、前記課題を解決するために以下の構成を備えている。
【０００９】
本発明の音声出力装置は、メディアから読み取られた音声信号を増幅してから出力するオーディオアンプと、
前記オーディオアンプから出力された前記音声信号を装置本体外部に出力する音声信号出力回路と、
電源オン信号と電源オフ信号を含む電源制御信号を生成する制御回路と、
前記電源制御信号を遅延させて電源オン遅延信号と電源オフ遅延信号を含む電源制御遅延信号を生成する遅延回路と、
商用電源から電源電圧を生成し、前記電源オン遅延信号を受けて電源オンとなって前記オーディオアンプを含む装置本体各部へ前記電源電圧を供給し、前記電源オフ遅延信号を受けて電源オフとなって前記装置本体各部に対する前記電源電圧の供給を停止する電源回路と、
前記電源オン信号の発生時に所定期間だけ前記オーディオアンプの出力を減衰させるミュート回路と、を備えることを特徴とする。
【００１０】
この構成では、オーディオアンプからミュート回路を介して入力した音声信号が、上記音声信号出力回路によってスピーカ付きの外部装置又はスピーカに直接出力される。
この構成において、電源オン時、電源オン信号が制御回路で生成され、遅延回路およびミュート回路に入力する。遅延回路は、電源オン信号を遅延させる。一方、ミュート回路は、電源オン信号が遅延回路で遅延されている間に、入力された電源オン信号を用いてオーディオアンプの出力の減衰を開始する。
オーディオアンプの出力の減衰が開始された後、電源オン信号を遅延させた電源オン遅延信号が遅延回路から電源回路に入力する。これにより、電源回路がオーディオアンプを含む装置本体各部に対して電源の供給を開始する。電源オン遅延信号が電源回路へ入力した時点ではオーディオアンプの出力の減衰が開始されているため、電源オン時のポップ音を抑えることができる。
以上より、ミュート信号を生成する専用の生成回路とそのミュート信号を出力する専用の出力ピンとを制御回路に組み込まなくとも、この構成ではポップ音を抑えことができる。
【発明の効果】
【００１１】
この発明によれば、コストダウンや製造工程のスリム化を図りつつポップ音を抑えることができる。
【図面の簡単な説明】
【００１２】
【図１】本発明の実施形態である光ディスク装置の主要な構成を示すブロック図
【図２】本発明の実施形態である光ディスク装置のミュート回路と遅延回路の回路図
【図３】本発明の実施形態である光ディスク装置においてミュートがオンするタイミングを示すタイミングチャート
【図４】本発明の実施形態の変形例である光ディスク装置のミュート回路と遅延回路の回路図
【図５】本発明の実施形態の変形例である光ディスク装置においてミュートがオンするタイミングを示すタイミングチャート
【発明を実施するための形態】
【００１３】
以下、本発明の実施形態である光ディスク装置について説明する。
【００１４】
図１は、本発明の実施形態である光ディスク装置の主要な構成を示すブロック図である。光ディスク装置１０１は、光ディスク装置１０１の各部の動作を制御するメインマイコン２と、ＤＶＤ１００からデータを読取る光ピックアップ３（以下、PU３と称する。）と、デコーダとDAコンバータとオーディオAMPなどで構成される再生回路５と、駆動電源を生成する電源回路７と、ユーザの操作入力を受付ける操作部１１と、制御プログラムを記憶する記憶部１３と、電源管理を行うサブマイコン２０と、音声信号をミュートするミュート回路２１と、Ｐ−ＯＮ信号を遅延させる遅延回路２２と、映像信号を出力する映像信号出力回路９と、を備える。
【００１５】
光ディスク装置１０１は、所謂ＤＶＤプレーヤである。そして、光ディスク装置１０１は、スピーカ内蔵のTV３００に接続されている。TV３００は、例えば液晶テレビ、プラズマテレビである。ＤＶＤ１００には、テレビ番組が予め録画されているものとする。
なお、この実施形態では、本発明のメディアの１形態としてＤＶＤ１００を用いているが、実施の際は、ブルーレイディスク等の光ディスクや磁気ディスクや半導体メモリでも構わない。
【００１６】
PU３は、図示しないレーザダイオード（ＬＤ）、コリメータレンズ、ビームスプリッタ、対物レンズ、フォトディテクタ、スレッドモータ、及びアクチュエータを備えている。
PU３は、ＤＶＤ１００の半径方向に延びる軸に移動自在に取り付けられている。スレッドモータが、PU３をＤＶＤ１００の半径方向に移動させる。ＬＤは、レーザ光を出力する光源である。フォトディテクタは、複数の受光素子で形成されており、ＤＶＤ１００からの反射光を検出する。
【００１７】
再生時の動作について説明する。
PU３は、ＤＶＤ１００に対して読取パワーのレーザ光を照射し、ＤＶＤ１００からの反射光をフォトディテクタで検出する。これにより、ＤＶＤ１００に記録されている情報を光学的に読み出す。
【００１８】
再生回路５は、PU３における複数の受光素子の出力に基づいてＲＦ信号を生成し、該ＲＦ信号を増幅する。そして、再生回路５は、該ＲＦ信号を処理して画像と音声のデータを取り出し、画像データと音声データに分離する。ここで、画像データはＭＰＥＧ等でエンコードされており、音声データはＡＡＣやＭＰ３等でエンコードされている。
【００１９】
再生回路５は、上記で分離した画像データをデコードする。そして、再生回路５は、画像データをDA変換してアナログの再生映像信号を生成し、映像信号出力回路９に出力する。
【００２０】
映像信号出力回路９は、再生回路５から入力された再生映像信号をTV３００に出力する。TV３００は、入力された再生映像信号に基づく映像を画面上に表示する。
【００２１】
また、再生回路５は、上記で分離した音声データをデコードする。そして、再生回路５は、音声データをDA変換してアナログの再生音声信号を生成する。さらに、再生回路５は、再生音声信号を、メインマイコン２によって設定された音量レベルに応じて増幅する。最後に、再生回路５は、アナログの再生音声信号をミュート回路２１に出力する。
ミュート回路２１は、再生音声信号を音声出力端子Audioからケーブルを介してTV３００に出力する。この音声出力端子Audioは、本願発明の「音声信号出力回路」に相当する。
【００２２】
TV３００は、入力した再生音声信号に基づく音声を内蔵のスピーカから放音する。
【００２３】
以上により、ユーザは、このTV３００において、光ディスク装置１０１から出力された再生映像信号に基づく映像、及び再生音声信号に基づく音声を視聴することができる。
【００２４】
操作部１１には、リモコン２００からの送信された命令を受信する受光部１１Ａが設けられている。リモコン２００には、例えば、チャンネルの選択を受付けるチャンネル選択キー、電源のON／OFFを受付ける電源キー、音量の調整を受付ける音量キー、等が設けられている。ユーザは、いずれかのキーを押下して光ディスク装置１０１に命令する。
リモコン２００で押下されたキーに応じた信号は、命令としてリモコン２００のＬＥＤ（不図示）から送信され、操作部１１の受光部１１Ａで受信される。そして、操作部１１は受信した命令をメインマイコン２に伝送する。
なお、操作部１１には、リモコン２００と同じキーが設けられている。
【００２５】
記憶部１３は、例えばフラッシュＲＯＭで構成される。記憶部１３は、装置本体各部の制御方法が記述された制御プログラムを予め記憶する。
【００２６】
メインマイコン２は、装置本体各部の動作を制御する主制御ＩＣである。メインマイコン２は、上記制御プログラムにより処理されるデータ等を展開するためのワークフィールドとしてのRAMを内蔵する。
【００２７】
サブマイコン２０は、電源回路７の電源管理を行う副制御ＩＣであり、後述の図２に示す常電源（この実施形態では＋５Ｖ）によって常時通電されている状態にある。サブマイコン２０は、装置本体の電源オンを指示するコマンドをメインマイコン２を介して操作部１１から受信すると、電源オン信号を遅延回路２２を経由して電源回路７へ出力する。一方、装置本体の電源オフを指示するコマンドをメインマイコン２を介して操作部１１から受信すると、サブマイコン２０は、電源オフ信号を遅延回路２２を経由して電源回路７へ出力する。ここでは、遅延回路２２で遅延された電源オン信号を電源オン遅延信号といい、遅延回路２２で遅延された電源オフ信号を電源オフ遅延信号という。電源オン信号と電源オフ信号は、後述の図３（Ａ）に示す電源制御信号の立ち上がりと立ち下りであり、電源オン遅延信号と電源オフ遅延信号は、後述の図３（Ｂ）に示す電源制御遅延信号の立ち上がりと立ち下りである。
【００２８】
すなわち、遅延回路２２は、サブマイコン２０から出力される電源オン信号（以下、Ｐ−ＯＮ信号と称する）を遅延させて電源オン遅延信号（以下、Ｐ−ＯＮ遅延信号と称する）を生成し、サブマイコン２０から出力される電源オフ信号（以下、Ｐ−ＯＦＦ信号と称する）を遅延させて電源オフ遅延信号（以下、Ｐ−ＯＦＦ遅延信号と称する）を生成する。
【００２９】
電源回路７は、サブマイコン２０からＰ−ＯＮ遅延信号が入力した時、商用電源から光ディスク装置１０１各部の駆動電源を取り出して、再生回路５を含む光ディスク装置１０１の各部への駆動電源の供給を開始する。一方、電源回路７は、サブマイコン２０からＰ−ＯＦＦ遅延信号が入力した時、光ディスク装置１０１の各部への駆動電源の供給を停止する。
【００３０】
ここで、ミュート回路２１と遅延回路２２の詳細な回路構成について以下説明する。
【００３１】
図２は、本発明の実施形態である光ディスク装置のミュート回路と遅延回路の回路図である。ミュート回路２１は、ＣＲ時定数回路３１と、ＣＲ時定数回路３２と、トランジスタＱ１等の複数のディスクリートと、で構成されている。再生回路５は、再生音声信号をミュート回路２１を介してTV３００に出力する。コンデンサＣ４は、再生音声信号のＤＣ成分をカットするコンデンサである。ミュート回路２１は、TV３００に出力する電気信号（再生回路５の出力）をトランジスタＱ０を介してグランドに接続し、トランジスタＱ０のオン時に電気信号をミュート（減衰）する回路である。遅延回路２２は、ＣＲローパスフィルタで構成されている。
なお、トランジスタＱ０が、本発明の「スイッチ素子」に相当する。
【００３２】
図３（Ａ）は、電源制御信号の波形を示す図であり、図３（Ｂ）は、電源制御遅延信号の波形を示す図であり、図３（Ｃ）は、ミュートがオンするタイミングを示す図である。
【００３３】
まず、ユーザが操作部１１又はリモコン２００で電源キーを操作すると、電源オンを指示するコマンドがメインマイコン２を介してサブマイコン２０に入力され、サブマイコン２０が図３（Ａ）に示す電源制御信号の出力を開始する。これにより、電源制御信号の立ち上がりであるＰ−ＯＮ信号が遅延回路２２とミュート回路２１のＣＲ時定数回路３１に入力される。
【００３４】
遅延回路２２は、サブマイコン２０から出力されるＰ−ＯＮ信号を遅延時間ｔ0遅延させ、図３（Ｂ）に示すＰ−ＯＮ遅延信号を生成する。
【００３５】
ミュート回路２１は、Ｐ−ＯＮ信号が遅延回路２２で遅延されている間に、サブマイコン２０から出力されたＰ−ＯＮ信号を用いて、TV３００に出力する電気信号に対するミュートを開始する（図３（Ｃ）参照）。詳述すると、ＣＲ時定数回路３１は、サブマイコン２０から出力されるＰ−ＯＮ信号を入力する。ＣＲ時定数回路３１の出力電圧は、トランジスタＱ１のベース端子に入力される。この時、所定のしきい値（0.6Ｖ程度）以上のＣＲ時定数回路３１の出力電圧がトランジスタＱ１のベース−エミッタ間にかかり、トランジスタＱ１がオンする。この結果、トランジスタＱ２がオンし、トランジスタＱ０をオンさせる。これにより、TV３００に出力する電気信号に対してミュートが開始される（図３（Ｃ）参照）。このミュートは、Ｐ−ＯＮ信号の発生時にミュート時間ｔ1だけ行われる。
【００３６】
ミュートが開始した後、Ｐ−ＯＮ信号を遅延時間ｔ0遅延させたＰ−ＯＮ遅延信号が遅延回路２２から電源回路７に入力する。これにより、電源回路７が再生回路５を含む装置本体各部に対して電源の供給を開始する。Ｐ−ＯＮ遅延信号が電源回路７へ入力した時点ではミュートがオンしているため、電源オン時のポップ音を抑えることができる。
【００３７】
以上より、ミュート信号を生成する専用の生成回路とそのミュート信号を出力する専用の出力ピンとをサブマイコン２０に組み込まなくとも、本実施形態ではポップ音を抑えことができる。従って、コストダウンや製造工程のスリム化を図りつつ電源オン時のポップ音を抑えることができる。
【００３８】
なお、電源回路７によって電源の供給が開始すると、その後、ＣＲ時定数回路３１の出力電圧は低下していく。そして、ＣＲ時定数回路３１の出力電圧が上記しきい値以下になると、トランジスタＱ１がオフする。この結果、トランジスタＱ２がオフし、トランジスタＱ０をオフさせる。これにより、TV３００に出力する電気信号に対するミュートがミュート時間ｔ1経過後に解除される。
【００３９】
次に、電源オフ時について以下説明する。
【００４０】
電源オフ時には、まずサブマイコン２０が図３（Ａ）に示す電源制御信号の出力を停止する。これにより、電源制御信号の立ち下がりであるＰ−ＯＦＦ信号が遅延回路２２とミュート回路２１のＣＲ時定数回路３１に入力される。
【００４１】
遅延回路２２は、サブマイコン２０から出力されるＰ−ＯＦＦ信号を遅延時間ｔ0遅延させ、図３（Ｂ）に示すＰ−ＯＦＦ遅延信号を生成する。
【００４２】
ミュート回路２１は、Ｐ−ＯＦＦ信号が遅延回路２２で遅延されている間に、サブマイコン２０から出力されたＰ−ＯＦＦ信号を用いて、TV３００に出力する電気信号に対するミュートを開始する（図３（Ｃ）参照）。詳述すると、ＣＲ時定数回路３１は、サブマイコン２０から出力されるＰ−ＯＦＦ信号を入力する。これにより、点Ｐ２の電位が下がり、常電源（電源回路７から電圧が印加されている電源端子）からツェナーダイオードＤ１を経由してコンデンサＣ３に電流が流れる。それにより、点Ｐ３の電位も下がるため、トランジスタＱ２がオンし、トランジスタＱ０がオンする。これにより、TV３００に出力する電気信号に対してミュートが開始される。このミュートは、Ｐ−ＯＦＦ信号の発生時にミュート時間ｔ2だけ行われる。
【００４３】
ミュートが開始した後、Ｐ−ＯＦＦ信号を遅延時間ｔ0遅延させたＰ−ＯＦＦ遅延信号が遅延回路２２から電源回路７に入力する。これにより、電源回路７が再生回路５を含む装置本体各部に対する電源の供給を停止する。Ｐ−ＯＦＦ遅延信号が電源回路７へ入力した時点ではミュートがオンしているため、降圧過渡期に発生する電源オフ時のポップ音を抑えることができる。
【００４４】
以上より、ミュート信号を生成する専用の生成回路とそのミュート信号を出力する専用の出力ピンとをサブマイコン２０に組み込まなくとも、本実施形態ではポップ音を抑えことができる。従って、コストダウンや製造工程のスリム化を図りつつ電源オフ時のポップ音を抑えことができる。
【００４５】
なお、上記ミュート時間ｔ1は、電源オン時のポップ音を抑えるため、上記遅延時間ｔ0以上に予め設定する。また、上記ミュート時間ｔ2も、電源オフ時のポップ音を抑えるため、上記遅延時間ｔ0以上に予め設定する。ミュート時間ｔ1は、ＣＲ時定数回路３１の出力電圧が上記所定のしきい値を超えている時間に相当する。そのため、ＣＲ時定数回路３１の時定数τ1を調節することにより（Ｃ２及びＲ２の値を調整することにより）、電源オン時のミュート時間ｔ1を調節することができる。同様に、ＣＲ時定数回路３２の時定数τ2を調節することにより（Ｃ３及びＲ４の値を調整することにより）、電源オフ時のミュート時間ｔ2も調節することができる。さらに、遅延時間ｔ0は、遅延回路２２の時定数τ0を調節することにより、調節することができる。
【００４６】
また、電源オンされてから即電源オフされ、さらに即電源オンされた場合、コンデンサＣ２の放電が十分になされていない状態で電源オンされることになる。この場合、ＣＲ時定数回路３１の出力電圧がトランジスタＱ１をオンする上記所定のしきい値を超えることができないおそれがある。そこで、コンデンサＣ２の電荷を素早く放電するために、グランドと接地したダイオードＤ２のカソード端子をＣＲ時定数回路３１に接続しても構わない。
【００４７】
また、本発明の実施形態は、以下の変形例を採用することができる。
【００４８】
図４は、本発明の実施形態の変形例である光ディスク装置のミュート回路と遅延回路の回路図である。図５は、本発明の実施形態の変形例である光ディスク装置においてミュートがオンするタイミングを示すタイミングチャートである。
【００４９】
上記実施形態では電源制御信号の立ち上がり及び立ち下りをＰ−ＯＮ信号及びＰ−ＯＦＦ信号としていたが、この変形例では、図５（Ａ）（Ｃ）に示すパルス状のＰ−ＯＮ信号とパルス状のＰ−ＯＦＦ信号とを別々のラインでサブマイコン２０が電源回路７へ出力する。またこの変形例では、図２に示すミュート回路２１をミュート回路１２１に置き換え、Ｐ−ＯＦＦ信号用の遅延回路１２２を追加している。このミュート回路１２１は、ミュート回路２１から時定数回路３２とツェナーダイオードＤ１とを外した回路である。また、この遅延回路１２２も、ＣＲローパスフィルタで構成されている。
【００５０】
この変形例では、Ｐ−ＯＮ信号とＰ−ＯＦＦ信号の立ち上がりを遅延回路２２、１２２とミュート回路１２１のＣＲ時定数回路３１とに入力し、ミュートを先にオンしている。
【００５１】
詳述すると、まずサブマイコン２０は、電源オンが指示された時に図５（Ａ）に示すＰ−ＯＮ信号を出力し、電源オフが指示された時に図５（Ｃ）に示すＰ−ＯＦＦ信号を出力する。これにより、Ｐ−ＯＮ信号の立ち上がりが遅延回路２２とミュート回路１２１のＣＲ時定数回路３１に入力される。また、Ｐ−ＯＦＦ信号の立ち上がりが遅延回路１２２とミュート回路１２１のＣＲ時定数回路３１に入力される。
【００５２】
遅延回路２２は、サブマイコン２０から出力されるＰ−ＯＮ信号を遅延時間ｔ0遅延させ、図５（Ｂ）に示すＰ−ＯＮ遅延信号を生成する。同様に、遅延回路１２２も、サブマイコン２０から出力されるＰ−ＯＦＦ信号を遅延時間ｔ0遅延させ、図５（Ｄ）に示すＰ−ＯＦＦ遅延信号を生成する。
【００５３】
一方、ＣＲ時定数回路３１も、サブマイコン２０から出力されるＰ−ＯＮ信号又はＰ−ＯＦＦ信号の立ち上がりを入力する。これにより、上記実施形態と同様にトランジスタＱ１がオンするため、トランジスタＱ２を介して、トランジスタＱ０がオンする。この結果、TV３００に出力する電気信号に対してミュートが開始される（図５（Ｅ）参照）。
【００５４】
ミュートが開始した後、Ｐ−ＯＮ遅延信号又はＰ−ＯＦＦ遅延信号が遅延回路２２又は遅延回路１２２から電源回路７に入力する。これにより、電源回路７が装置本体各部に対して電源の供給を開始又は停止する。Ｐ−ＯＮ遅延信号又はＰ−ＯＦＦ遅延信号が電源回路７へ入力した時点ではミュートがオンしているため、電源オン時又は電源オフ時のポップ音を抑えることができる。
【符号の説明】
【００５５】
２…メインマイコン
３…光ピックアップ
５…再生回路
７…電源回路
９…映像信号出力回路
１１…操作部
１１Ａ…受光部
１３…記憶部
２０…サブマイコン
２１…ミュート回路
２２…遅延回路
３１…ＣＲ時定数回路
３２…ＣＲ時定数回路
１００…ＤＶＤ
１０１…光ディスク装置
１２１…ミュート回路
１２２…遅延回路
２００…リモコン
３００…テレビジョン
ｔ0…遅延時間
ｔ1、ｔ2…ミュート時間
【図１】
2011015193.tif 000003
【図２】
2011015193.tif 000004
【図３】
2011015193.tif 000005
【図４】
2011015193.tif 000006
【図５】
2011015193.tif 000007